(57)【要約】【課題】本発明は、電子棚札システム及びその通信方法に関する。【解決手段】本発明による電子棚札システムは、識別ＩＤを有するＮＦＣ（Ｎｅａｒ  Ｆｉｅｌｄ  Ｃｏｍｍｕｎｉｃａｔｉｏｎ）チップを含み、ＮＦＣ通信で購買予約を行うＮＦＣカード装置と、ＮＦＣチップを含み、ＮＦＣ通信で上記ＮＦＣカード装置から購買予約がある場合は上記ＮＦＣカード装置の識別ＩＤと商品情報を含む購買予約情報を無線で伝送する複数の電子タグと、上記複数の電子タグのそれぞれに商品情報を提供し、上記電子タグからの購買予約情報の伝送を受け、上記購買予約情報に含まれた識別ＩＤ別に購買予約情報を管理する管理装置と、を含むことができる。【選択図】図２
2015122050.tif 000002
【特許請求の範囲】
【請求項１】
識別ＩＤを有するＮＦＣ（Ｎｅａｒ  Ｆｉｅｌｄ  Ｃｏｍｍｕｎｉｃａｔｉｏｎ）チップを含み、ＮＦＣ通信で購買予約を行うＮＦＣカード装置と、
ＮＦＣチップを含み、ＮＦＣ通信で前記ＮＦＣカード装置から購買予約がある場合は前記ＮＦＣカード装置の識別ＩＤと商品情報を含む購買予約情報を無線で伝送する複数の電子タグと、
前記複数の電子タグのそれぞれに商品情報を提供し、前記複数の電子タグからの購買予約情報の伝送を受け、前記購買予約情報に含まれた識別ＩＤ別に購買予約情報を管理する管理装置と、
を含む、電子棚札システム。
【請求項２】
前記管理装置は、
予め登録された識別ＩＤと前記購買予約情報に含まれた識別ＩＤとを比較し、一致する場合は識別ＩＤ別に購買予約情報を保存する、請求項１に記載の電子棚札システム。
【請求項３】
前記管理装置は、
前記複数の電子タグのそれぞれへの商品情報の伝送を制御し、前記購買予約情報を前記識別ＩＤ別に管理するサーバーと、
前記サーバーと有線網で連結され、前記サーバーからの情報を該当する電子タグに無線で伝送し、前記複数の電子タグのそれぞれから伝送された購買予約情報を前記サーバーに提供する中継器と、
を含む、請求項１または２に記載の電子棚札システム。
【請求項４】
識別ＩＤを有するＮＦＣ（Ｎｅａｒ  Ｆｉｅｌｄ  Ｃｏｍｍｕｎｉｃａｔｉｏｎ）チップを含み、ＮＦＣ通信で購買予約を行うＮＦＣカード装置と、
ＮＦＣチップを含み、ＮＦＣ通信で前記ＮＦＣカード装置から購買予約がある場合は前記ＮＦＣカード装置の識別ＩＤと商品情報を含む購買予約情報を無線で伝送する複数の電子タグと、
前記複数の電子タグのそれぞれに商品情報を提供し、前記複数の電子タグからの購買予約情報の伝送を受け、前記購買予約情報に含まれた識別ＩＤ別に購買予約情報を管理する管理装置と、
前記管理装置からの購買予約情報を識別ＩＤ別に管理及び決済する決済装置と、
を含む、電子棚札システム。
【請求項５】
前記管理装置は、
予め登録された識別ＩＤと前記購買予約情報に含まれた識別ＩＤとを比較し、一致する場合は識別ＩＤ別に購買予約情報を前記決済装置に提供する、請求項４に記載の電子棚札システム。
【請求項６】
前記管理装置は、
前記複数の電子タグのそれぞれへの商品情報の伝送を制御し、前記購買予約情報を前記識別ＩＤ別に管理するサーバーと、
前記サーバーと有線網で連結され、前記サーバーからの情報を該当する電子タグに無線で伝送し、前記複数の電子タグのそれぞれから伝送された購買予約情報を前記サーバーに提供する中継器と、
を含む、請求項４または５に記載の電子棚札システム。
【請求項７】
前記決済装置は、
購買予約情報の要請を受け、前記要請した識別ＩＤと内部識別ＩＤとが一致する場合は、該当する購買予約情報を要請した端末に伝送する、請求項４から６の何れか１項に記載の電子棚札システム。
【請求項８】
複数の電子タグのそれぞれが、ＮＦＣ（Ｎｅａｒ  Ｆｉｅｌｄ  Ｃｏｍｍｕｎｉｃａｔｉｏｎ）通信でＮＦＣカード装置から購買予約の要請を受ける段階と、
前記購買予約の要請の際に前記ＮＦＣカード装置の識別ＩＤを認識して前記識別ＩＤと商品情報を含む購買予約情報を管理装置に無線で伝送する段階と、
前記管理装置が、前記複数の電子タグからの購買予約情報の伝送を受け、前記購買予約情報に含まれた識別ＩＤ別に購買予約情報を管理する段階と、
を含む、電子棚札システムの通信方法。
【請求項９】
前記購買予約情報を管理する段階は、
前記管理装置が、予め登録された識別ＩＤと前記購買予約情報に含まれた識別ＩＤとを比較し、一致する場合は識別ＩＤ別に購買予約情報を保存する、請求項８に記載の電子棚札システムの通信方法。
【請求項１０】
前記購買予約情報を管理する段階は、
前記管理装置の中継器が、前記複数の電子タグのそれぞれから無線で伝送された購買予約情報を前記管理装置のサーバーに提供する段階と、
前記サーバーが、前記中継器から伝送された購買予約情報を識別ＩＤ別に管理する段階と、
を含む、請求項８または９に記載の電子棚札システムの通信方法。
【請求項１１】
前記購買予約情報を管理する段階は、
前記サーバーが、予め登録された識別ＩＤと前記購買予約情報に含まれた識別ＩＤとを比較し、一致する場合は識別ＩＤ別に購買予約情報を決済装置に伝送する、請求項１０に記載の電子棚札システムの通信方法。
【請求項１２】
複数の電子タグのそれぞれが、ＮＦＣ（Ｎｅａｒ  Ｆｉｅｌｄ  Ｃｏｍｍｕｎｉｃａｔｉｏｎ）通信でＮＦＣカード装置から購買予約の要請を受ける段階と、
前記購買予約の要請の際に前記ＮＦＣカード装置の識別ＩＤを認識して前記識別ＩＤと商品情報を含む購買予約情報を管理装置に無線で伝送する段階と、
前記管理装置が、前記複数の電子タグからの購買予約情報の伝送を受け、前記購買予約情報に含まれた識別ＩＤ別に購買予約情報を保存及び決済装置に伝送する段階と、
前記決済装置が、前記管理装置からの購買予約情報の伝送を受け、識別ＩＤ別に決済する段階と、
を含む、電子棚札システムの通信方法。
【請求項１３】
前記購買予約情報を保存及び決済装置に伝送する段階は、
前記管理装置が、予め登録された識別ＩＤと前記購買予約情報に含まれた識別ＩＤとを比較し、一致する場合は識別ＩＤ別に購買予約情報を保存する、請求項１２に記載の電子棚札システムの通信方法。
【請求項１４】
前記購買予約情報を保存及び決済装置に伝送する段階は、
前記管理装置の中継器が、前記複数の電子タグのそれぞれから無線で伝送された購買予約情報を前記管理装置のサーバーに提供する段階と、
前記サーバーが、前記中継器から伝送された購買予約情報を識別ＩＤ別に管理する段階と、
を含む、請求項１２または１３に記載の電子棚札システムの通信方法。
【請求項１５】
前記購買予約情報を保存及び決済装置に伝送する段階は、
前記サーバーが、予め登録された識別ＩＤと前記購買予約情報に含まれた識別ＩＤとを比較し、一致する場合は識別ＩＤ別に購買予約情報を前記決済装置に伝送する、請求項１４に記載の電子棚札システムの通信方法。
【請求項１６】
前記決済する段階は、
前記決済装置が、ユーザー端末から購買予約情報の要請を受ける場合は、要請の際に提示された識別ＩＤと内部識別ＩＤとを比較し、一致する識別ＩＤに該当する購買予約情報を前記ユーザー端末に提供する、請求項１２から１５の何れか１項に記載の電子棚札システムの通信方法。
【請求項１７】
複数の電子タグのそれぞれが、ＮＦＣ（Ｎｅａｒ  Ｆｉｅｌｄ  Ｃｏｍｍｕｎｉｃａｔｉｏｎ）通信でＮＦＣカード装置から購買予約の要請を受ける段階と、
前記購買予約の要請の際に前記ＮＦＣカード装置の識別ＩＤを認識して前記識別ＩＤと商品情報を含む購買予約情報を中継器に無線で伝送する段階と、
前記中継器が、伝送された購買予約情報をサーバーに伝達し、前記サーバーが、前記中継器からの購買予約情報に含まれた識別ＩＤと予め登録されたＩＤとが一致する場合は前記購買予約情報を保存及び決済装置に伝送する段階と、
前記決済装置が、前記中継器からの購買予約情報の伝送を受け、識別ＩＤ別に決済する段階と、
を含む、電子棚札システムの通信方法。
【請求項１８】
前記決済する段階は、
前記決済装置が、ユーザー端末から購買予約情報の要請を受ける場合は、要請の際に提示された識別ＩＤと内部識別ＩＤとを比較し、一致する識別ＩＤに該当する購買予約情報を前記ユーザー端末に提供する、請求項１７に記載の電子棚札システムの通信方法。
【発明の詳細な説明】
【技術分野】
【０００１】
本発明は、電子棚札システム及びその通信方法に関する。
【背景技術】
【０００２】
従来、購買者のための商品情報を商品陳列台に表示する方式としては、手書き又はプリンティングで価格情報を表示する紙タグ方式が用いられてきた。しかしながら、上記紙タグ方式には、商品の価格情報や商品が変わるごとに紙タグを入れ替えなければならないという短所があった。
【０００３】
よって、上記紙タグ方式の短所を補完できる電子タグ方式が研究及び開発されており、最近では、電子タグ方式が一部の商品陳列台に適用されることもある。このような電子タグ方式を電子棚札システム（ＥＳＬ：Ｅｌｅｃｔｒｏｎ  Ｓｈｅｌｆ  Ｌａｂｅｌ）ともいう。
【０００４】
通常、電子棚札（ＥＳＬ：Ｅｌｅｃｔｒｏｎ  Ｓｈｅｌｆ  Ｌａｂｅｌ）システムとは、商品陳列台に設置されて商品情報を電子的に表示及び変更できるシステムのことである。
【０００５】
このような電子棚札システムは、上位サーバー（Ｓｅｒｖｅｒ）、一つの上位サーバーに有線で連結される複数の中継器（Ｇａｔｅｗａｙ）、複数の中継器のそれぞれに無線で連結される複数の電子タグ群からなることができる。
【０００６】
上記上位サーバーは、複数の中継器のそれぞれと有線通信で価格情報を含む商品情報を提供することができる。
【０００７】
上記複数の中継器のそれぞれは、上位サーバー（Ｓｅｒｖｅｒ）から受けた商品情報を無線通信で該当する電子タグ群に伝送することができる。
【０００８】
この際、該当する電子タグ群は、無線通信で商品情報の受信を受け、商品情報に含まれた価格情報を表示部に表示することができる。
【０００９】
上記電子棚札システムは、無線通信方式により商品情報を自動で且つ迅速に更新することができるという長所を有する。
【００１０】
最近、スマートホン等の携帯端末にＮＦＣ（Ｎｅａｒ  Ｆｉｅｌｄ  Ｃｏｍｍｕｎｉｃａｔｉｏｎ）チップが適用されるにつれ、電子タグにもＮＦＣチップを装着し、これにより、携帯端末のＮＦＣチップとのＮＦＣ通信を行い、購入した商品情報をやりとりすることができるアプリケーション（Ａｐｐｌｉｃａｔｉｏｎ）が研究及び開発されている。
【００１１】
しかしながら、全てのスマートホンにＮＦＣチップが装着されているわけではない。さらに、ＮＦＣチップをスマートホンに装着する上でのＮＦＣチップとの互換性の問題も未だに解決されていない。よって、スマートホンにＮＦＣチップが装着されているか否かにかかわらず、商品を販売する売り場で全ての顧客がＮＦＣ通信を用いて商品を購買することができる方案が必要とされている。
【００１２】
下記の特許文献１は、ＥＳＬシステムと商品情報の確認及び商品の決済方法に関するものであり、スマートホン等のユーザー端末にＮＦＣチップが内蔵されているか否かにかかわらず、商品を販売する売り場で全ての顧客が商品購買の際にＮＦＣ通信を用いることができるといった技術的事項は開示していない。
【先行技術文献】
【特許文献】
【００１３】
【特許文献１】韓国公開特許第２０１３‐００６０７５６号公報
【発明の概要】
【発明が解決しようとする課題】
【００１４】
本発明は、上述した従来技術の問題を解決するためのものであり、スマートホン等のユーザー端末にＮＦＣチップが内蔵されているか否かにかかわらず、商品を販売する売り場で全ての顧客が商品購買の際にＮＦＣ通信を用いることができる電子棚札システム及びその通信方法を提供することを目的とする。
【課題を解決するための手段】
【００１５】
本発明の第１の実施形態によれば、識別ＩＤを有するＮＦＣ（Ｎｅａｒ  Ｆｉｅｌｄ  Ｃｏｍｍｕｎｉｃａｔｉｏｎ）チップを含み、ＮＦＣ通信で購買予約を行うＮＦＣカード装置と、ＮＦＣチップを含み、ＮＦＣ通信で上記ＮＦＣカード装置から購買予約がある場合は上記ＮＦＣカード装置の識別ＩＤと商品情報を含む購買予約情報を無線で伝送する複数の電子タグと、上記複数の電子タグのそれぞれに商品情報を提供し、上記電子タグからの購買予約情報の伝送を受け、上記購買予約情報に含まれた識別ＩＤ別に購買予約情報を管理する管理装置と、を含む電子棚札システムが提供される。
【００１６】
上記管理装置は、予め登録された識別ＩＤと上記購買予約情報に含まれた識別ＩＤとを比較し、一致する場合は識別ＩＤ別に購買予約情報を保存することができる。
【００１７】
上記管理装置は、上記複数の電子タグのそれぞれへの商品情報の伝送を制御し、上記購買予約情報を上記識別ＩＤ別に管理するサーバーと、上記サーバーと有線網で連結され、上記サーバーからの情報を該当する電子タグに無線で伝送し、上記複数の電子タグのそれぞれから伝送された購買予約情報を上記サーバーに提供する中継器と、を含むことができる。
【００１８】
また、本発明の第２の実施形態によれば、識別ＩＤを有するＮＦＣ（Ｎｅａｒ  Ｆｉｅｌｄ  Ｃｏｍｍｕｎｉｃａｔｉｏｎ）チップを含み、ＮＦＣ通信で購買予約を行うＮＦＣカード装置と、ＮＦＣチップを含み、ＮＦＣ通信で上記ＮＦＣカード装置から購買予約がある場合は上記ＮＦＣカード装置の識別ＩＤと商品情報を含む購買予約情報を無線で伝送する複数の電子タグと、上記複数の電子タグのそれぞれに商品情報を提供し、上記電子タグからの購買予約情報の伝送を受け、上記購買予約情報に含まれた識別ＩＤ別に購買予約情報を管理する管理装置と、上記管理装置からの購買予約情報を識別ＩＤ別に管理及び決済する決済装置と、を含む電子棚札システムが提供される。
【００１９】
上記管理装置は、予め登録された識別ＩＤと上記購買予約情報に含まれた識別ＩＤとを比較し、一致する場合は識別ＩＤ別に購買予約情報を上記決済装置に提供することができる。
【００２０】
上記管理装置は、上記複数の電子タグのそれぞれへの商品情報の伝送を制御し、上記購買予約情報を上記識別ＩＤ別に管理するサーバーと、上記サーバーと有線網で連結され、上記サーバーからの情報を該当する電子タグに無線で伝送し、上記複数の電子タグのそれぞれから伝送された購買予約情報を上記サーバーに提供する中継器と、を含むことができる。
【００２１】
上記決済装置は、購買予約情報の要請を受け、上記要請した識別ＩＤと内部識別ＩＤとが一致する場合は、該当する購買予約情報を要請した端末に伝送することができる。
【００２２】
また、本発明の第３の実施形態によれば、複数の電子タグのそれぞれが、ＮＦＣ（Ｎｅａｒ  Ｆｉｅｌｄ  Ｃｏｍｍｕｎｉｃａｔｉｏｎ）通信でＮＦＣカード装置から購買予約の要請を受ける段階と、上記購買予約の要請の際に上記ＮＦＣカード装置の識別ＩＤを認識して上記識別ＩＤと商品情報を含む購買予約情報を管理装置に無線で伝送する段階と、上記管理装置が、上記電子タグからの購買予約情報の伝送を受け、上記購買予約情報に含まれた識別ＩＤ別に購買予約情報を管理する段階と、を含む電子棚札システムの通信方法が提供される。
【００２３】
上記購買予約情報を管理する段階は、上記管理装置が、予め登録された識別ＩＤと上記購買予約情報に含まれた識別ＩＤとを比較し、一致する場合は識別ＩＤ別に購買予約情報を保存することができる。
【００２４】
上記購買予約情報を管理する段階は、上記管理装置の中継器が、上記複数の電子タグのそれぞれから無線で伝送された購買予約情報を上記管理装置のサーバーに提供する段階と、上記サーバーが、上記中継器から伝送された購買予約情報を識別ＩＤ別に管理する段階と、を含むことができる。
【００２５】
上記購買予約情報を管理する段階は、上記サーバーが、予め登録された識別ＩＤと上記購買予約情報に含まれた識別ＩＤとを比較し、一致する場合は識別ＩＤ別に購買予約情報を決済装置に伝送することができる。
【００２６】
また、本発明の第４の実施形態によれば、複数の電子タグのそれぞれが、ＮＦＣ（Ｎｅａｒ  Ｆｉｅｌｄ  Ｃｏｍｍｕｎｉｃａｔｉｏｎ）通信でＮＦＣカード装置から購買予約の要請を受ける段階と、上記購買予約の要請の際に上記ＮＦＣカード装置の識別ＩＤを認識して上記識別ＩＤと商品情報を含む購買予約情報を管理装置に無線で伝送する段階と、上記管理装置が、上記電子タグからの購買予約情報の伝送を受け、上記購買予約情報に含まれた識別ＩＤ別に購買予約情報を保存及び決済装置に伝送する段階と、上記決済装置が、上記管理装置からの購買予約情報の伝送を受け識別ＩＤ別に決済する段階と、を含む電子棚札システムの通信方法が提供される。
【００２７】
上記購買予約情報を保存及び決済装置に伝送する段階は、上記管理装置が、予め登録された識別ＩＤと上記購買予約情報に含まれた識別ＩＤとを比較し、一致する場合は識別ＩＤ別に購買予約情報を保存することができる。
【００２８】
上記購買予約情報を保存及び決済装置に伝送する段階は、上記管理装置の中継器が、上記複数の電子タグのそれぞれから無線で伝送された購買予約情報を上記管理装置のサーバーに提供する段階と、上記サーバーが、上記中継器から伝送された購買予約情報を識別ＩＤ別に管理する段階と、を含むことができる。
【００２９】
上記購買予約情報を保存及び決済装置に伝送する段階は、上記サーバーが、予め登録された識別ＩＤと上記購買予約情報に含まれた識別ＩＤとを比較し、一致する場合は識別ＩＤ別に購買予約情報を上記決済装置に伝送することができる。
【００３０】
また、本発明の第５の実施形態によれば、複数の電子タグのそれぞれが、ＮＦＣ（Ｎｅａｒ  Ｆｉｅｌｄ  Ｃｏｍｍｕｎｉｃａｔｉｏｎ）通信でＮＦＣカード装置から購買予約の要請を受ける段階と、上記購買予約の要請の際に上記ＮＦＣカード装置の識別ＩＤを認識して上記識別ＩＤと商品情報を含む購買予約情報を中継器に無線で伝送する段階と、上記中継器が、伝送された購買予約情報をサーバーに伝達し、上記サーバーが、上記中継器からの購買予約情報に含まれた識別ＩＤと予め登録されたＩＤとが一致する場合は上記購買予約情報を保存及び決済装置に伝送する段階と、上記決済装置が、上記管理装置からの購買予約情報の伝送を受け識別ＩＤ別に決済する段階と、を含む電子棚札システムの通信方法が提供される。
【００３１】
本発明の第４及び第５の実施形態において、上記決済する段階は、上記決済装置が、ユーザー端末から購買予約情報の要請を受ける場合は、要請の際に提示された識別ＩＤと内部識別ＩＤとを比較し、一致する識別ＩＤに該当する購買予約情報を上記ユーザー端末に提供することができる。
【発明の効果】
【００３２】
本発明によれば、スマートホン等のユーザー端末にＮＦＣチップが内蔵されているか否かにかかわらず、商品を販売する売り場で全ての顧客が商品購買の際にＮＦＣ通信を用いることができる。
【図面の簡単な説明】
【００３３】
【図１】本発明の実施例による電子棚札システムの構成ブロック図である。
【図２】本発明の実施例による電子棚札システムの内部構成ブロック図である。
【図３】本発明の実施例による電子棚札システムのＱＲコード（登録商標）活用説明図である。
【図４】本発明の実施例による電子棚札システムの通信方法を示すフローチャートである。
【図５】本発明の実施例による電子棚札システムの通信方法を示すフローチャートである。
【図６】本発明の実施例による電子棚札システムの購買予約情報の要請及び提供の手続きを示す図である。
【発明を実施するための形態】
【００３４】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００３５】
図１は本発明の実施例による電子棚札システムの構成ブロック図であり、図２は本発明の実施例による電子棚札システムの内部構成ブロック図である。
【００３６】
図１及び図２を参照すると、本発明の実施例による電子棚札システムは、ＮＦＣカード装置１００と、複数の電子タグ２００と、管理装置３００と、を含むことができる。
【００３７】
また、本発明の実施例による電子棚札システムは、決済装置５００をさらに含むことができる。
【００３８】
上記ＮＦＣカード装置１００は、識別ＩＤを有するＮＦＣ（Ｎｅａｒ  Ｆｉｅｌｄ  Ｃｏｍｍｕｎｉｃａｔｉｏｎ）チップ１１０を含み、ＮＦＣ通信で購買予約を行うことができる。
【００３９】
図２を参照すると、上記ＮＦＣチップ１１０はＮＦＣアンテナに連結されてＮＦＣ通信を行うことができる。例えば、上記ＮＦＣチップ１１０は、ＮＦＣアンテナを介して内部に保存された識別ＩＤをＮＦＣ通信で提供することができる。
【００４０】
一方、本発明の実施例によるＮＦＣカード装置の外観は、カード型でも良く、キーホルダー型等の別の型でも良く、ＮＦＣ機能を有するものであればいずれの型でも良い。
【００４１】
上記複数の電子タグ２００のそれぞれは、ＮＦＣチップ２２０を含み、ＮＦＣ通信で上記ＮＦＣカード装置１００から購買予約がある場合は上記ＮＦＣカード装置１００の識別ＩＤと商品情報を含む購買予約情報（ＢＲＩ）を無線で上記管理装置３００に伝送することができる。
【００４２】
例えば、ＮＦＣカード装置は、バッテリーを含まないパッシブ（Ｐａｓｓｉｖｅ）方式でも良く、バッテリーを含むアクティブ（Ａｃｔｉｖｅ）方式でも良い。ＮＦＣカード装置がパッシブ（Ｐａｓｓｉｖｅ）方式の場合は電子タグのＮＦＣチップがアクティブ（Ａｃｔｉｖｅ）方式でも良く、これとは逆に、ＮＦＣカード装置がアクティブ（Ａｃｔｉｖｅ）方式の場合は電子タグのＮＦＣチップがパッシブ（Ｐａｓｓｉｖｅ）又はアクティブ（Ａｃｔｉｖｅ）方式でも良い。
【００４３】
一方、上記複数の電子タグ２００のそれぞれは、制御部２１０と、無線通信部２３０と、表示部２４０と、を含むことができる。上記制御部２１０は、該当する電子タグの動作を総括的に制御する機能を行う。例えば、ＮＦＣ通信、無線通信及び画面表示動作を制御することができる。
【００４４】
上記無線通信部２３０は、上記制御部２１０の制御により上記管理装置３００との無線通信を行う。例えば、ＩＥＥＥ  ８０２．１５．４規約による無線パーソナルエリアネットワーク（ＷＰＡＮ：Ｗｉｒｅｌｅｓｓ  Ｐｅｒｓｏｎａｌ  Ａｒｅａ  Ｎｅｔｗｏｒｋｓ）通信を行うことができる。
【００４５】
また、上記表示部２４０は、上記制御部２１０の制御により商品情報を画面表示することができる。上記商品情報には、商品名、生産地、生産者、製造日、価格情報等が含まれることができるが、これに限定されない。
【００４６】
上記管理装置３００は、上記複数の電子タグ２００のそれぞれに商品情報を提供し、上記電子タグ２００からの購買予約情報（ＢＲＩ）の伝送を受け、上記購買予約情報（ＢＲＩ）に含まれた識別ＩＤ別に購買予約情報（ＢＲＩ）を管理することができる。
【００４７】
例えば、上記管理装置３００は、予め登録された識別ＩＤと上記購買予約情報（ＢＲＩ）に含まれた識別ＩＤとを比較し、一致する場合は識別ＩＤ別に購買予約情報（ＢＲＩ）を保存し、一致しない場合は非正常的な購買予約情報（ＢＲＩ）として認識して保存しない。
【００４８】
図２を参照すると、上記管理装置３００は、サーバー３１０と、中継器３２０と、を含むことができる。
【００４９】
例えば、上記サーバー３１０は、上記複数の電子タグ２００のそれぞれへの商品情報の伝送を制御し、上記中継器３２０から伝達された上記購買予約情報（ＢＲＩ）を上記識別ＩＤ別に管理することができる。
【００５０】
上記中継器３２０は、上記サーバー３１０とイーサネット（登録商標）等の有線網で連結され、上記サーバー３１０からの情報を該当する電子タグ２００に無線で伝送し、上記複数の電子タグのそれぞれから伝送された購買予約情報（ＢＲＩ）を上記サーバー３１０に提供することができる。
【００５１】
例えば、上記中継器３２０は、複数の電子タグ２００との、ＩＥＥＥ  ８０２．１５．４規約による無線パーソナルエリアネットワーク（ＷＰＡＮ：Ｗｉｒｅｌｅｓｓ  Ｐｅｒｓｏｎａｌ  Ａｒｅａ  Ｎｅｔｗｏｒｋｓ）通信を行うゲートウェイ（Ｇａｔｅｗａｙ）であれば良い。
【００５２】
一方、上記決済装置５００は、上記管理装置３００からの購買予約情報（ＢＲＩ）を識別ＩＤ別に管理及び決済することができる。
【００５３】
例えば、上記決済装置５００は、カウンターに設置され、上記サーバー３１０から伝送された購買予約情報（ＢＲＩ）を識別ＩＤ別に保存することができる。
【００５４】
また、上記管理装置３００は、予め登録された識別ＩＤと上記購買予約情報（ＢＲＩ）に含まれた識別ＩＤとを比較し、一致する場合は識別ＩＤ別に購買予約情報（ＢＲＩ）を上記決済装置５００に提供することができる。
【００５５】
図３は、本発明の実施例による電子棚札システムのＱＲコード（登録商標）活用説明図である。
【００５６】
図３を参照すると、本発明の実施例による電子棚札システムのＮＦＣカード装置１００はそれ自体のＱＲ（Ｑｕｉｃｋ  Ｒｅｓｐｏｎｓｅ）コードを含み、このＱＲコード（登録商標）は識別ＩＤを含んでいる。
【００５７】
したがって、ユーザー端末４００でＱＲコード（登録商標）スキャンアップル等を用いて上記ＮＦＣカード装置１００のＱＲコード（登録商標）をスキャンすると、このＱＲコード（登録商標）の識別ＩＤを認識することができる。
【００５８】
上記ユーザー端末４００は、上記認識した識別ＩＤを用いて上記決済装置５００に購買予約情報を要請することができる。
【００５９】
この際、上記決済装置５００は、上記ユーザー端末４００の要請に応じて、該当する識別ＩＤに該当する購買予約情報を上記ユーザー端末４００に提供することができる。
【００６０】
ここで、上記決済装置５００がウェブ基盤のインターネット接続を許容する場合は、上記ユーザー端末４００のウェブ基盤のインターネット環境で容易に上記購買予約情報を要請されて活用することができる。
【００６１】
例えば、上記決済装置５００は、前述したように、ユーザー端末４００等から購買予約情報の要請を受け、上記要請した識別ＩＤと内部識別ＩＤとが一致する場合は、該当する購買予約情報（ＢＲＩ）を要請したユーザー端末に提供することができる。
【００６２】
図４は本発明の実施例による電子棚札システムの通信方法を示すフローチャートであり、図５は本発明の実施例による電子棚札システムの通信方法を示すフローチャートである。
【００６３】
以下では、図１から図６を参照して本発明の実施例による電子棚札システムの通信方法を説明する。
【００６４】
なお、本発明の実施例による電子棚札システムの通信方法を説明するにあたり、上記の図１から図３を参照した動作に関する説明をそのまま適用することができるため、重複する説明は省略する。
【００６５】
図４及び図５を参照すると、まず、Ｓ２１０段階では、複数の電子タグ２００のそれぞれが、ＮＦＣ（Ｎｅａｒ  Ｆｉｅｌｄ  Ｃｏｍｍｕｎｉｃａｔｉｏｎ）通信でＮＦＣカード装置１００から購買予約の要請を受けることができる。
【００６６】
例えば、上記ＮＦＣチップ１１０を有するＮＦＣカード装置１００を該当する電子タグ２００に近づけると、上記ＮＦＣカード装置１００のＮＦＣチップ１１０が識別ＩＤを伝送し、この識別ＩＤを上記電子タグ２００のＮＦＣチップ２２０が認識することができる。
【００６７】
次に、Ｓ２２０段階では、上記購買予約の要請の際に上記ＮＦＣカード装置１００の識別ＩＤを認識して上記識別ＩＤと商品情報を含む購買予約情報（ＢＲＩ）を管理装置３００に無線で伝送することができる。
【００６８】
次に、Ｓ３００段階では、上記管理装置３００が、上記電子タグ２００からの購買予約情報（ＢＲＩ）の伝送を受け、上記購買予約情報（ＢＲＩ）に含まれた識別ＩＤ別に購買予約情報（ＢＲＩ）を管理することができる。
【００６９】
例えば、上記Ｓ３００段階では、上記管理装置３００が、予め登録された識別ＩＤと上記購買予約情報（ＢＲＩ）に含まれた識別ＩＤとを比較し、一致する場合は識別ＩＤ別に購買予約情報（ＢＲＩ）を保存することができる。
【００７０】
以下では、図５を参照して上記Ｓ３００段階について説明する。
【００７１】
まず、上記管理装置３００の中継器３２０は、上記複数の電子タグ２００のそれぞれから無線で伝送された購買予約情報（ＢＲＩ）を上記管理装置３００のサーバー３１０に提供することができる。この際、上記サーバー３１０は、上記中継器３２０から伝送された購買予約情報（ＢＲＩ）の伝送を受けることができる（Ｓ３１０）。
【００７２】
その後、上記サーバー３１０は、予め登録された識別ＩＤと上記購買予約情報（ＢＲＩ）に含まれた識別ＩＤとを比較することができる（Ｓ３２０）。
【００７３】
この際、上記サーバー３１０は、上記予め登録された識別ＩＤと上記購買予約情報（ＢＲＩ）に含まれた識別ＩＤとが一致する場合は、識別ＩＤ別に購買予約情報（ＢＲＩ）を保存することができ（Ｓ３３０）、また、上記決済装置５００に伝送することができる（Ｓ３４０）。
【００７４】
図６は、本発明の実施例による電子棚札システムの購買予約情報の要請及び提供の手続きを示す図である。
【００７５】
図６を参照すると、本発明の実施例による電子棚札システムのＮＦＣカード装置１００はそれ自体のＱＲ（Ｑｕｉｃｋ  Ｒｅｓｐｏｎｓｅ）コードを含み、このＱＲコード（登録商標）は識別ＩＤを含んでいる。
【００７６】
したがって、ユーザー端末４００でＱＲコード（登録商標）スキャンアップル等を用いて上記ＮＦＣカード装置１００のＱＲコード（登録商標）をスキャンすると、このＱＲコード（登録商標）の識別ＩＤを認識することができる（Ｓ４１０、Ｓ４２０）。
【００７７】
次に、上記ユーザー端末４００は、上記認識した識別ＩＤを用いて上記決済装置５００に購買予約情報を要請することができる（Ｓ４３０）。
【００７８】
次に、上記決済装置５００は、上記ユーザー端末４００の要請を受けると、上記ユーザー端末４００の要請に応じて、該当する識別ＩＤに該当する購買予約情報を検索して上記ユーザー端末４００に提供することができる（Ｓ５３０、Ｓ５４０、Ｓ５５０）。
【００７９】
次に、上記ユーザー端末４００は、上記決済装置５００から購買予約情報の伝送を受けて保存及び画面出力することができる（Ｓ４４０、Ｓ４５０）。
【００８０】
ここで、上記決済装置５００がウェブ基盤のインターネット接続を許容する場合は、上記ユーザー端末４００のウェブ基盤のインターネット環境で容易に上記購買予約情報を要請されて活用することができる。
【００８１】
前述したように、本発明の実施例によれば、ＮＦＣチップを装着したスマートホンがなくても、売り場から提供されるＮＦＣカード装置を用いて商品購買予約及び決済を容易に行うことができる。
【符号の説明】
【００８２】
１００  ＮＦＣカード装置
２００  電子タグ
３００  管理装置
３１０  サーバー
３２０  中継器
４００  ユーザー端末
５００  決済装置
【図１】
2015122050.tif 000003
【図２】
2015122050.tif 000004
【図３】
2015122050.tif 000005
【図４】
2015122050.tif 000006
【図５】
2015122050.tif 000007
【図６】
2015122050.tif 000008